(57)【要約】      （修正有）【課題】構造が安定し、安全性の高い中空の机の天板を提供する。【解決手段】机の天板１は重ねて置く一つの上ボードと一つの下ボードを含み、机の天板１の底面の縁部に金属枠が設けられ、上ボードの縁部には下に伸びる上ボードの側縁があり、金属枠は水平方向に向いて凸部があり、凸部で上ボードと下ボードの継ぎ目が保護できる。机の天板１の外縁には二層の視覚的印象があり、立体感が強い。【選択図】図１
0003217692.tif 000002
【実用新案登録請求の範囲】
【請求項１】
中空の机の天板であって、
一つの上ボードと一つの下ボードを含み、下ボードに凹みがあり、机の天板の底面の縁部に金属枠が設けられ、前記上ボードの縁部には下に伸びる上ボードの側縁があり、前記金属枠の水平方向に凸部が設けられて上ボードの側縁を張り出す、中空の机の天板。
【請求項２】
前記金属枠の凸部が前記上ボード側縁に向く側の底部を上に曲げて一つの縁曲げを形成し、前記上ボード側縁の底部を遮ることを特徴とする請求項１に記載の中空の机の天板。
【請求項３】
前記金属枠の凸部が上ボード側縁の底部に近づくことを特徴とする請求項１に記載の中空の机の天板。
【請求項４】
前記上ボード側縁の底部は前記金属枠に向かって曲がっていることを特徴とする請求項２に記載の中空の机の天板。
【請求項５】
前記下ボードの縁部には下に伸びる下ボードの側縁があり、前記縁曲げが前記下ボード側縁の底部を遮ることを特徴とする請求項２に記載の中空の机の天板。
【請求項６】
前記下ボード側縁の底部は前記金属枠に向かって曲がっていることを特徴とする請求項５に記載の中空の机の天板。
【請求項７】
前記中空の机の天板の側面は大体一つの平面であることを特徴とする請求項２に記載の中空の机の天板。
【請求項８】
前記下ボードの底部には下に伸びる一つの固定部があり、前記固定部は前記金属枠が前記上ボード側縁と背向する側に置かれ、ネジを横向きに前記固定部を貫通して前記金属枠を係止することを特徴とする請求項２に記載の中空の机の天板。
【請求項９】
中空の机の天板の側面は一つの平面に位置していないことを特徴とする請求項２に記載の中空の机の天板。
【考案の詳細な説明】
【技術分野】
【０００１】
本考案は中空の机の天板に関し、特に中空の机の天板の枠構造に関する。
【背景技術】
【０００２】
プラスチック製机の天板は、単層天板の厚くて重い構造を現在の二層プラスチックの薄板の軽い構造に改善させたものであり、既に存在したのはフロー成形して製造した中空机の天板とブリスター成形して製造した中空机の天板である。フロー成形の中空机の天板の上ボードと下ボードが重なっていて、下ボードに凹みが配布され、上ボードと下ボードを折り重ねてから周縁の内側に金属枠を設置する。現有のブリスター成形の中空机の天板は、上ボード、下ボード周縁の内側に、上下方向のストッパを設置して金属鉄の枠を包む必要があり、上ボードと下ボードの継ぎ目が露出し、使用する時に、不注意で上下方向のストッパにより、人の指や服は引かれる又は挟まれ、ひいては、指が傷つく、服が破れる、ストッパが折れる等の事態が発生する。このような内蔵式の金属枠は強度増強やサポート連接の作用しか発揮できずが、上ボードと下ボードの継ぎ目を保護することができない。
【考案の概要】
【考案が解決しようとする課題】
【０００３】
背景技術に存在する不足を克服するために、本考案は構造が安定し、安全性の高い机の天板の枠構造を提供する。技術的問題を解決するために、本考案は以下の技術案を採用する。
【課題を解決するための手段】
【０００４】
中空の机の天板は一つの上ボードと一つの下ボードを含み、下ボードに凹みがあり、机の天板の底面の縁部に金属枠が設けられ、前記上ボードの縁部には下に伸びる上ボードの側縁があり、前記金属枠の水平方向に凸部が設けられて上ボードの側面を張り出す。
【０００５】
好ましい実施形態において、前記金属枠の凸部が前記上ボード側縁に向く側の底部を上に曲げて一つの縁曲げを形成し、前記上ボード側縁の底部を遮る。
【０００６】
好ましい実施形態において、前記金属枠の凸部は上ボード側縁の底部に接近している。
【０００７】
好ましい実施形態において、前記上ボード側縁の底部は前記金属枠に向かって曲がっている。前記金属枠の縁曲げと上ボードの側面は大体同じ平面に位置する。
【０００８】
好ましい実施形態において、前記下ボードの縁部には下に伸びる下ボードの側縁があり、前記金属枠の縁曲げは前記下ボード側縁の底部を遮る。
【０００９】
好ましい実施形態において、前記下ボード側縁の底部は前記金属枠に向かって曲がっている。
【００１０】
好ましい実施形態において、前記下ボードの底部には下に伸びる一つの固定部があり、前記固定部は前記金属枠が前記上ボード側縁と背向する側に置かれ、ネジを横向きにして前記固定部を貫通して前記金属枠を係止する。
【００１１】
本技術方案は背景技術と比べ、以下のメリットを持っている。
【００１２】
１、前記金属枠の外側が上ボードの側縁を張り出し、上ボード側縁の底部を遮るか又は上ボードの側縁の底部を突っ張るようにして支える。使用する時に、上ボードの底部が引き上げられないので、天板の一体性が高くなる。上下方向のストッパにより、人の指や服が引かれ又は挟まれることがなくなり、安全に使用することができる。同時に、縁曲げで上ボードの側縁が遮られ、机の天板の外縁には立体的な視覚的印象がある。
【００１３】
２、前記金属枠は前記下ボードに着脱自在に係止されていて、構造が簡単で、且つ一層堅固である。
【００１４】
以下は図を実施例と結合して本考案の更なる説明を行う。
【図面の簡単な説明】
【００１５】
【図１】図１は机の立体図である。
【図２】図２は図１に示す机の正面図である。
【図３】図３は図２のＡの拡大図である。
【図４】図４はもう一種の机の天板の枠の構造図である。
【図５】図５は実施例三の机の正面図である。
【図６】図６は実施例三の机の底部の見取り図である。
【図７】図７は図５のＢの拡大図である。
【図８】図８は実施例四の机の正面図である。
【図９】図９は実施例四の机の底部の見取り図である。
【図１０】図１０は図８のＣの拡大図である。
【考案を実施するための形態】
【実施例１】
【００１６】
図１、図２と図３に示すように、机は天板１と机の脚２から構成され、机の脚２は折り畳んで天板１の底部に接続する。天板１は重ねて置く一つの上ボード１１と一つの下ボード１２を含み、下ボードに凹み１２．１があり、机の天板１の底面の縁部に金属枠１３が設けられ、前記金属枠１３が前記下ボード１２の下をサポートする。前記金属枠１３は前記下ボード１２に着脱自在に係止され、ネジ１４は下から上に向いて前記金属枠１３を貫通して下ボード１２を係止する。
【００１７】
前記上ボード１１の縁部には下に伸びる上ボードの側縁１１２があり、前記上ボード側縁１１２の底部の前記金属枠１３に向かって曲がっている。前記下ボード１２の縁部には下に伸びる下ボードの側縁１２２があり、前記下ボード側縁１２２の底部の前記金属枠１３に向かって曲がっている。上ボードの側縁１１２が下ボードの側縁１２２と重なって粘接している。前記金属枠１３には一つの凸部があり、本実施例の凸部の前記上ボード側縁１１２に向く側の底部が上に曲がって一つの縁曲げ１３２を形成し、前記縁曲げ１３２が前記上ボード側縁１１２と下ボード側縁１２２の底部を遮る。
【００１８】
上ボードの側縁、下ボード側縁の底部が前記金属枠に向かって曲がっていて、これで前記縁曲げに対して空間を譲り、縁曲げと天板の外縁の上下方向の位置が合わせられ、側面が一つの平面になり、天板の美感が向上される。
【実施例２】
【００１９】
図４に示すように、実施例２と実施例１の区別は、下ボード１２の縁部に下ボードの側縁が設けられていなく、縁曲げ１３２は上ボード側縁１１２しか包まないことにある。前記下ボード１２の底部には下に伸びる一つの固定部１２４があり、前記固定部１２４は前記金属枠１３が前記上ボードの側縁１１２と背向する側に置かれ、ネジ１５を横向きに前記固定部１２４を貫通して前記金属枠１３を係止する。
【実施例３】
【００２０】
図５、図６と図７に示すように、本実施例の机は角テーブルであり、机は天板１と机の脚２から構成され、机の脚２は折り畳んで天板１の底部に接続する。天板１は重ねて置く一つの上ボード１１と一つの下ボード１２を含み、下ボードに凹み１２．１が配置され、机の天板１の底面の縁部に金属枠１３が設けられ、前記金属枠１３が前記下ボード１２の下をサポートする。前記金属枠１３と前記下ボード１２がピン止めされ、ネジ１４（図には示していない）は下から上に向いて前記金属枠１３を貫通して下ボード１２を係止する。
【００２１】
前記上ボード１１の縁部には下に伸びる上ボードの側縁１１２があり、前記下ボード１２の縁部には下に伸びる下ボードの側縁１２２があり、前記上ボードの側縁１１２が下ボードの側縁１２２と重ねて置く且つ粘接している。前記金属枠１３には一つの凸部があり、前記凸部１３１は金属枠底部と大体水平する直辺であり、本実施例の前記上ボード側縁１１２の底部が金属枠の凸部を係止する。
【実施例４】
【００２２】
図８、図９と図１０に示すように、本実施例の机は長方形のテーブルであり、机を折り畳むことができ、机は天板１と机の脚２から構成され、机の脚２は折り畳んで天板１の底部に接続する。天板１は重ねて置く一つの上ボード１１と一つの下ボード１２を含み、下ボードに凹み１２．１が配置され、机の天板１の底面の縁部に金属枠１３が設けられ、前記金属枠１３が前記下ボード１２の下をサポートする。前記金属枠１３と前記下ボード１２がピン止めされる。
【００２３】
前記上ボード１１の縁部には下に伸びる上ボードの側縁１１２があり、前記上ボードの側縁１１２が下ボードの側縁１２２と重ねて置く且つ粘接している。前記金属枠１３には一つの凸部１３１があり、本実施例の前記上ボード側縁１１２の底部が金属枠の凸部１３１を係止する。
【００２４】
前記実施例は本考案の好ましい実施例であり、本考案は実施例に限定されるものではなく、本考案の技術的実質に基づき、前記実施例に対するいかなる簡単な修正、類似変化及び修飾も本考案技術案の保護範囲に属する。
【産業上の利用可能性】
【００２５】
本考案において、金属枠の水平方向の上に向く凸部が設計され、前記凸部で上ボードと下ボードの継ぎ目が保護される。
【図１】
0003217692.tif 000003
【図２】
0003217692.tif 000004
【図３】
0003217692.tif 000005
【図４】
0003217692.tif 000006
【図５】
0003217692.tif 000007
【図６】
0003217692.tif 000008
【図７】
0003217692.tif 000009
【図８】
0003217692.tif 000010
【図９】
0003217692.tif 000011
【図１０】
0003217692.tif 000012